(57)【要約】【課題】Ｎ系統（Ｎは２以上の整数）以上の映像信号を１つの表示デバイスに表示するためにＮ系統のＡ／Ｄ変換器を有する映像信号処理装置において、１画面表示時にＡ／Ｄ変換器を有効に活用する。【解決手段】１画面表示時に、表示対象のアナログ映像信号Ｄ１またはＤ２を、Ｎ系統のＡ／Ｄ変換器２，３のうちのＭ系統（Ｍは２以上Ｎ以下の整数）のＡ／Ｄ変換器に供給する映像信号供給手段２３，２４と、１画面表示時に、このＭ系統のＡ／Ｄ変換器に、同一周波数のサンプリングクロックＣをＭ分の１周期ずつ位相をずらして供給するクロック供給手段２７，３０〜３２と、１画面表示時に、このＭ系統のＡ／Ｄ変換器から出力されたデジタル映像信号を、Ｍ分の１周期毎に入れ子状に合成する合成手段２２とを備える。【選択図】            図３
2004364185.tif 000002
【特許請求の範囲】
【請求項１】
入力されたＮ系統（Ｎは２以上の整数）のアナログ映像信号をそれぞれデジタル変換する前記Ｎ系統のＡ／Ｄ変換器と、
前記Ｎ系統のアナログ映像信号を１つの表示デバイスに表示させるために、前記Ｎ系統のＡ／Ｄ変換器から出力されたデジタル映像信号を合成する合成手段とを有する映像信号処理装置において、
前記Ｎ系統のアナログ映像信号のうちの１系統のアナログ映像信号のみが表示対象とされる１画面表示時に、該表示対象のアナログ映像信号を、前記Ｎ系統のＡ／Ｄ変換器のうちのＭ系統（Ｍは２以上前記Ｎ以下の整数）のＡ／Ｄ変換器に供給する映像信号供給手段と、
前記１画面表示時に、前記Ｍ系統のＡ／Ｄ変換器に、同一周波数のサンプリングクロックを前記Ｍ分の１周期ずつ位相をずらして供給するクロック供給手段と、
前記１画面表示時に、前記Ｍ系統のＡ／Ｄ変換器から出力されたデジタル映像信号を、前記Ｍ分の１周期毎に入れ子状に合成する第２の合成手段と
を備えたことを特徴とする映像信号処理装置。
【請求項２】
請求項１に記載の映像信号処理装置において、
前記合成手段は、前記Ｎ系統のアナログ映像信号を１つの表示デバイスに別々の画面で表示させるために、前記Ｎ系統のＡ／Ｄ変換器から出力されたデジタル映像信号を切り替えて選択する切替手段を含んでおり、
前記第２の合成手段は、前記切替手段を用いて、前記Ｍ系統のＡ／Ｄ変換器から出力されたデジタル映像信号を前記Ｍ分の１周期毎に切り替えて選択する
ことを特徴とする映像信号処理装置。
【請求項３】
入力されたＮ系統（Ｎは２以上の整数）のアナログ映像信号をそれぞれデジタル変換する前記Ｎ系統のＡ／Ｄ変換器と、
前記Ｎ系統のアナログ映像信号を１つの表示デバイスに表示させるために、前記Ｎ系統のＡ／Ｄ変換器から出力されたデジタル映像信号を合成する合成手段とを有する映像信号処理装置を搭載した映像表示装置において、
前記Ｎ系統のアナログ映像信号のうちの１系統のアナログ映像信号のみが表示対象とされる１画面表示時に、該表示対象のアナログ映像信号を、前記Ｎ系統のＡ／Ｄ変換器のうちのＭ系統（Ｍは２以上前記Ｎ以下の整数）のＡ／Ｄ変換器に供給する映像信号供給手段と、
前記１画面表示時に、前記Ｍ系統のＡ／Ｄ変換器に、同一周波数のサンプリングクロックを前記Ｍ分の１周期ずつ位相をずらして供給するクロック供給手段と、
前記１画面表示時に、前記Ｍ系統のＡ／Ｄ変換器から出力されたデジタル映像信号を、前記Ｍ分の１周期毎に入れ子状に合成する第２の合成手段と
を備えたことを特徴とする映像表示装置。
【請求項４】
請求項３に記載の映像表示装置において、
前記合成手段は、前記Ｎ系統のアナログ映像信号を１つの表示デバイスに別々の画面で表示させるために、前記Ｎ系統のＡ／Ｄ変換器から出力されたデジタル映像信号を切り替えて選択する切替手段を含んでおり、
前記第２の合成手段は、前記切替手段を用いて、前記Ｍ系統のＡ／Ｄ変換器から出力されたデジタル映像信号を前記Ｍ分の１周期毎に切り替えて選択する
ことを特徴とする映像表示装置。
【発明の詳細な説明】
【０００１】
【発明の属する技術分野】
本発明は、２系統の映像信号を１つの表示デバイスに表示させるための映像信号処理装置や、そうした映像信号処理装置を搭載した映像表示装置に関する。
【０００２】
【従来の技術】
２系統の映像信号を、１つの表示デバイスに別々の画面で表示（２画面表示）させたり重ね合わせて表示（重畳表示）させたりするための映像信号処理装置を搭載したテレビジョン受像機が、既に存在している。（例えば、特許文献１参照）。
【０００３】
図１は、そうしたテレビジョン受像機に搭載されている従来の２画面表示・重畳表示用の映像信号処理装置の構成例を示すブロック図である。この映像信号処理装置（映像信号処理部１）は、Ａ／Ｄ変換部２，３と、同期分離・クロック生成回路４，５と、合成回路６と、ＣＰＵ７と、ＲＯＭ８と、ＲＡＭ９とを含んでいる。合成回路６，ＣＰＵ７，ＲＯＭ８，ＲＡＭ９は、それぞれバス１０に接続されている。
【０００４】
映像信号処理部１には、リモートコントローラの操作によって選択された２系統のベースバンドのアナログ映像信号（テレビジョン受像機のチューナ・復調回路で選局・復調されたアナログ映像信号か、あるいはテレビジョン受像機に外部入力端子から入力されたアナログ映像信号）が、入力端ＩＮ１，ＩＮ２から入力される。
【０００５】
入力端ＩＮ１から入力したアナログ映像信号Ｄ１は、Ａ／Ｄ変換部２及び同期分離・クロック生成回路４に送られる。入力端子ＩＮ２から入力したアナログ映像信号Ｄ２は、Ａ／Ｄ変換部３及び同期分離・クロック生成回路５に送られる。
【０００６】
同期分離・クロック生成回路４，５は、それぞれ、入力アナログ映像信号から水平同期信号，垂直同期信号を分離する水平同期分離回路，垂直同期分離回路と、水平同期信号からドットクロックを生成するＰＬＬとを含んでいる。
【０００７】
同期分離・クロック生成回路４によってアナログ映像信号Ｄ１から分離・生成された水平同期信号Ｈ，垂直同期信号Ｖ，ドットクロックＣは、Ａ／Ｄ変換部２に供給される。同期分離・クロック生成回路５によってアナログ映像信号Ｄ２から分離・生成された水平同期信号Ｈ，垂直同期信号Ｖ，ドットクロックＣは、Ａ／Ｄ変換部３に供給される。
【０００８】
Ａ／Ｄ変換部２，３は、それぞれ分解能８ビットのＡ／Ｄ変換器を含んでおり、入力ドットクロックをサンプリングクロックとして、その立ち上がりのタイミングで入力アナログ映像信号をデジタル変換する。
【０００９】
Ａ／Ｄ変換部２，３は、それぞれこの８ビットの映像信号に１ビットずつの水平同期信号，垂直同期信号，ドットクロックを付加した１１ビットのデジタル映像信号ストリームＤ３，Ｄ４を、合成回路６にパラレル伝送する。
【００１０】
ＣＰＵ７には、リモートコントローラの操作によって選択された表示モード（２画面表示モードか、重畳表示モードか、入力端ＩＮ１，ＩＮ２のうちの任意の一方の入力端から入力した映像信号のみを表示する１画面表示モード）を示す信号Ｓが与えられる。
【００１１】
ＣＰＵ７は、この信号Ｓが示す表示モードに応じて、ＲＯＭ８に格納されているプログラムに基づき、ＲＡＭ９をワークエリアとして使用して、合成回路６を制御する。
【００１２】
図２は、合成回路６の構成を示すブロック図である。合成回路６は、バッファメモリ１１，１２と、１入力２出力のスイッチ回路１３，１４と、２入力１出力のスイッチ回路１５と、ミキシング回路１６とを含んでいる。
【００１３】
Ａ／Ｄ変換部２，３からパラレル伝送されたデジタル映像信号ストリームＤ３，Ｄ４は、それぞれバッファメモリ１１，１２に一時的に蓄積された後、スイッチ回路１３，１４に送られる。
【００１４】
スイッチ回路１３は、一方の出力端がスイッチ回路１５の一方の入力端に接続され、もう一方の出力端がミキシング回路１６に接続されている。スイッチ回路１４は、一方の出力端がスイッチ回路１５のもう一方の入力端に接続され、もう一方の出力端がミキシング回路１６に接続されている。
【００１５】
ＣＰＵ７（図１）は、２画面表示モードが選択されたときには、スイッチ回路１３，１４を制御してそれぞれ出力端をスイッチ回路１５側に切り替えるとともに、スイッチ回路１５を制御して、１水平周期毎に、最初の所定期間（例えば１水平周期の２分の１の期間）はスイッチ回路１３の出力を選択させ、残りの期間はスイッチ回路１４の出力を選択させる。これにより、入力端ＩＮ１，ＩＮ２から入力した２系統のアナログ映像信号Ｄ１，Ｄ２を１つの表示デバイスに左右の別々の画面で表示させるデジタル映像信号ストリームが、スイッチ回路１５から出力される。
【００１６】
他方、ＣＰＵ７は、重畳表示モードが選択されたときには、スイッチ回路１３，１４を制御してそれぞれ出力端をミキシング回路１６側に切り替える。ミキシング回路１６は、デジタル映像信号ストリームＤ３とデジタル映像信号ストリームＤ４とをミキシングして、入力端ＩＮ１，ＩＮ２から入力した２系統のアナログ映像信号Ｄ１，Ｄ２を１つの表示デバイスに重ね合せて表示させるデジタル映像信号ストリームを出力する。
【００１７】
他方、ＣＰＵ７は、一画面表示モードが選択されたときには、スイッチ回路１３，１４のうち表示対象の映像信号に対応したほうのスイッチ回路（入力端ＩＮ１から入力したアナログ映像信号Ｄ１を表示するときはスイッチ回路１３、入力端ＩＮ２から入力したアナログ映像信号Ｄ２を表示するときはスイッチ回路１４）を制御してその出力端をスイッチ回路１５側に切り替えるとともに、スイッチ回路１５を制御してスイッチ回路１３，１４のうちこの表示対象の映像信号に対応したほうのスイッチ回路の出力を選択させる。これにより、デジタル映像信号ストリームＤ３，Ｄ４のうち、表示対象の映像信号をデジタル変換したほうのデジタル映像信号ストリームが、スイッチ回路１５からそのまま出力される。
【００１８】
このようにして、選択された表示モードに応じたデジタル映像信号ストリームが映像信号処理部１で作成される。このデジタル映像信号ストリームは、図１に示すように、映像信号処理部１の出力端ＯＵＴから出力され、コントラストや諧調の調整等を行う他の映像信号処理部５１を経て、表示デバイス（例えば液晶パネル等）に送られる。
【００１９】
【特許文献１】
特開２０００−１３８８７３号公報（段落番号０００２、図３）
【００２０】
【発明が解決しようとする課題】
ところで、この従来の映像信号処理部１では、１画面表示時には、Ａ／Ｄ変換部２，３のうち、表示対象の映像信号が供給されていないほうのＡ／Ｄ変換部（入力端ＩＮ１から入力したアナログ映像信号を表示するときはＡ／Ｄ変換部３、入力端ＩＮ２から入力したアナログ映像信号を表示するときはＡ／Ｄ変換部２）は、表示対象ではないアナログ映像信号が供給されてそのアナログ映像信号をデジタル変換している状態か、アナログ映像信号が供給されていない状態か、あるいは消費電力の節約のために動作を停止させた状態かのいずれかになっている。
【００２１】
したがって、いずれにしても、１画面表示時には、２系統のＡ／Ｄ変換部２，３のうちの一方のみしか映像の表示に寄与せず、Ａ／Ｄ変換器が有効に活用されていなかった。
【００２２】
本発明は、上述の点に鑑み、この映像信号処理部１のように、２系統以上の映像信号を１つの表示デバイスに表示するために２系統以上のＡ／Ｄ変換器を有する映像信号処理装置や、そうした映像信号処理装置を搭載したテレビジョン受像機等の映像表示装置において、１画面表示時にこれらのＡ／Ｄ変換器を有効に活用することを課題としてなされたものである。
【００２３】
【課題を解決するための手段】
この課題を解決するために、本出願人は、入力されたＮ系統（Ｎは２以上の整数）のアナログ映像信号をそれぞれデジタル変換するＮ系統のＡ／Ｄ変換器と、このＮ系統のアナログ映像信号を１つの表示デバイスに表示させるために、このＮ系統のＡ／Ｄ変換器から出力されたデジタル映像信号を合成する合成手段とを有する映像信号処理装置において、このＮ系統のアナログ映像信号のうちの１系統のアナログ映像信号のみが表示対象とされる１画面表示時に、表示対象のアナログ映像信号を、Ｎ系統のＡ／Ｄ変換器のうちのＭ系統（Ｍは２以上Ｎ以下の整数）のＡ／Ｄ変換器に供給する映像信号供給手段と、この１画面表示時に、このＭ系統のＡ／Ｄ変換器に、同一周波数のサンプリングクロックをＭ分の１周期ずつ位相をずらして供給するクロック供給手段と、この１画面表示時に、このＭ系統のＡ／Ｄ変換器から出力されたデジタル映像信号を、Ｍ分の１周期毎に入れ子状に合成する第２の合成手段とを備えた映像信号処理装置を提案する。
【００２４】
この映像信号処理装置は、２系統以上（Ｎ系統）の映像信号を１つの表示デバイスに表示するために２系統以上（Ｎ系統）のＡ／Ｄ変換器を有しているが、１画面表示時には、映像信号供給手段によって２系統以上（Ｍ系統）のＡ／Ｄ変換器に表示対象の同じアナログ映像信号が供給されるとともに、クロック供給手段によって同一周波数のサンプリングクロックがＭ分の１周期ずつ位相をずらしてこのＭ系統のＡ／Ｄ変換器に供給される。
【００２５】
したがって、このＭ系統のＡ／Ｄ変換器により、表示対象の同じアナログ映像信号が、サンプリングクロックのＭ分の１周期ずつタイミングをずらしてサンプリングされる。
【００２６】
そして、第２の合成手段によってこのＭ系統のＡ／Ｄ変換器から出力されたデジタル映像信号がＭ分の１周期毎に入れ子状に合成されることにより、各統々のＡ／Ｄ変換器のＭ倍のサンプリング周波数のデジタル映像信号が作成される。このようにして、１画面表示時に、Ａ／Ｄ変換器を有効に活用して、高精細な映像を得ることができる。
【００２７】
なお、この映像信号処理装置において、一例として、合成手段は、Ｎ系統のアナログ映像信号を１つの表示デバイスに別々の画面で表示させるために、Ｎ系統のＡ／Ｄ変換器から出力されたデジタル映像信号を切り替えて選択する切替手段を含んでおり、第２の合成手段は、この切替手段を用いて、Ｍ系統のＡ／Ｄ変換器から出力されたデジタル映像信号をＭ分の１周期毎に切り替えて選択することが好適である。
【００２８】
それにより、２系統以上のアナログ映像信号を１つの表示デバイスに別々の画面で表示させる際に用いられる切替手段が、１画面表示時にも兼用されるので、回路規模の増大を抑えつつ、１画面表示時に高精細な映像を得ることができるようになる。
【００２９】
次に、本出願人は、入力されたＮ系統（Ｎは２以上の整数）のアナログ映像信号をそれぞれデジタル変換するＮ系統のＡ／Ｄ変換器と、このＮ系統のアナログ映像信号を１つの表示デバイスに表示させるために、このＮ系統のＡ／Ｄ変換器から出力されたデジタル映像信号を合成する合成手段とを有する映像信号処理装置を搭載した映像表示装置において、このＮ系統のアナログ映像信号のうちの１系統のアナログ映像信号のみが表示対象とされる１画面表示時に、表示対象のアナログ映像信号を、Ｎ系統のＡ／Ｄ変換器のうちのＭ系統（Ｍは２以上Ｎ以下の整数）のＡ／Ｄ変換器に供給する映像信号供給手段と、この１画面表示時に、このＭ系統のＡ／Ｄ変換器に、同一周波数のサンプリングクロックをＭ分の１周期ずつ位相をずらして供給するクロック供給手段と、この１画面表示時に、このＭ系統のＡ／Ｄ変換器から出力されたデジタル映像信号を、Ｍ分の１周期毎に入れ子状に合成する第２の合成手段とを備えた映像表示装置を提案する。
【００３０】
また、この映像表示装置において、合成手段は、Ｎ系統のアナログ映像信号を１つの表示デバイスに別々の画面で表示させるために、Ｎ系統のＡ／Ｄ変換器から出力されたデジタル映像信号を切り替えて選択する切替手段を含んでおり、第２の合成手段は、この切替手段を用いて、Ｍ系統のＡ／Ｄ変換器から出力されたデジタル映像信号をＭ分の１周期毎に切り替えて選択するようにしたものを提案する。
【００３１】
この映像表示装置は、前述の本発明に係る映像信号処理装置を搭載したものであり、１画面表示時に、Ａ／Ｄ変換器を有効に活用して高精細な映像を得ることや、回路規模の増大を抑えつつ高精細な映像を得ることができる。
【００３２】
【発明の実施の形態】
以下、本発明を、テレビジョン受像機に適用した例について、図面を用いて具体的に説明する。
【００３３】
図３は、本発明を適用したテレビジョン受像機に搭載されている２画面表示・重畳表示用の映像信号処理装置の構成を示すブロック図であり、図１と共通する部分には同一符号を付している。この映像信号処理装置（映像信号処理部２１）は、Ａ／Ｄ変換部２，３と、同期分離・クロック生成回路４，５と、合成回路２２と、ＣＰＵ７と、ＲＯＭ８と、ＲＡＭ９と、２入力１出力のスイッチ回路２３〜３０，３２と、インバータ３１とを含んでいる。合成回路２２，ＣＰＵ７，ＲＯＭ８，ＲＡＭ９は、それぞれバス１０に接続されている。
【００３４】
映像信号処理部２１には、リモートコントローラの操作によって選択された２系統のベースバンドのアナログ映像信号（テレビジョン受像機のチューナ・復調回路で選局・復調されたアナログ映像信号か、あるいはテレビジョン受像機に外部入力端子から入力されたアナログ映像信号）が、入力端ＩＮ１，ＩＮ２から入力される。
【００３５】
入力端ＩＮ１から入力したアナログ映像信号Ｄ１は、スイッチ回路２３，２４の一方の入力端に送られるとともに、同期分離・クロック生成回路４に送られる。入力端子ＩＮ２から入力したアナログ映像信号Ｄ２は、スイッチ回路２３，２４のもう一方の入力端に送られるとともに、同期分離・クロック生成回路５に送られる。スイッチ回路２３で選択されたアナログ映像信号は、Ａ／Ｄ変換部２に送られる。スイッチ回路２４で選択されたアナログ映像信号は、Ａ／Ｄ変換部３に送られる。
【００３６】
同期分離・クロック生成回路４，５は、それぞれ、入力アナログ映像信号から水平同期信号，垂直同期信号を分離する水平同期分離回路，垂直同期分離回路と、水平同期信号からドットクロックを生成するＰＬＬとを含んでいる。
【００３７】
同期分離・クロック生成回路４によって入力アナログ映像信号から分離・生成された水平同期信号Ｈ，垂直同期信号Ｖ，ドットクロックＣのうち、水平同期信号Ｈはスイッチ回路２５，２８の一方の入力端に送られ、垂直同期信号Ｖはスイッチ回路２６，２９の一方の入力端に送られ、ドットクロックＣはスイッチ回路２７，３０の一方の入力端に送られる。
【００３８】
同期分離・クロック生成回路５によって入力アナログ映像信号から分離・生成された水平同期信号Ｈ，垂直同期信号Ｖ，ドットクロックＣのうち、水平同期信号Ｈはスイッチ回路２５，２８のもう一方の入力端に送られ、垂直同期信号Ｖはスイッチ回路２６，２９のもう一方の入力端に送られ、ドットクロックＣはスイッチ回路２７，３０のもう一方の入力端に送られる。
【００３９】
スイッチ回路２５，２６，２７で選択された水平同期信号Ｈ，垂直同期信号Ｖ，ドットクロックＣは、Ａ／Ｄ変換部２に供給される。スイッチ回路２８，２９で選択された水平同期信号Ｈ，垂直同期信号Ｖは、Ａ／Ｄ変換部３に供給される。スイッチ回路３０で選択されたドットクロックＣは、インバータ３１及びスイッチ回路３２の一方の入力端に送られる。
【００４０】
インバータ３１によるドットクロックＣの反転出力は、スイッチ回路３２のもう一方の入力端に送られる。スイッチ回路３２で選択されたドットクロックは、Ａ／Ｄ変換部３に供給される。
【００４１】
Ａ／Ｄ変換部２，３は、それぞれ分解能８ビットのＡ／Ｄ変換器を含んでおり、入力ドットクロックをサンプリングクロックとして、その立ち上がりのタイミングで入力アナログ映像信号をデジタル変換する。
【００４２】
Ａ／Ｄ変換部２，３は、それぞれこの８ビットの映像信号に１ビットずつの水平同期信号，垂直同期信号，ドットクロックを付加した１１ビットのデジタル映像信号ストリームＤ３，Ｄ４を、合成回路２２にパラレル伝送する。
【００４３】
ＣＰＵ７には、リモートコントローラの操作によって選択された表示モード（２画面表示モードか、重畳表示モードか、入力端ＩＮ１，ＩＮ２のうちの任意の一方の入力端から入力した映像信号のみを表示する１画面表示モード）を示す信号Ｓが与えられる。
【００４４】
ＣＰＵ７は、この信号Ｓが示す表示モードに応じて、ＲＯＭ８に格納されているプログラムに基づき、ＲＡＭ９をワークエリアとして使用して、合成回路２２を制御する。
【００４５】
図４は、合成回路２２の構成を示すブロック図であり、図２と共通する部分には同一符号を付している。合成回路２２は、バッファメモリ１１，１２と、１入力２出力のスイッチ回路１３，１４と、２入力１出力のスイッチ回路１５と、ミキシング回路１６と、３入力１出力のスイッチ回路４１を含んでいる。
【００４６】
Ａ／Ｄ変換部２，３からパラレル伝送されたデジタル映像信号ストリームＤ３，Ｄ４は、それぞれバッファメモリ１１，１２に一時的に蓄積された後、バッファメモリ１１，１２から読み出されてスイッチ回路１３，１４に送られる。
【００４７】
また、バッファメモリ１１から読み出されたデジタル映像信号ストリームＤ３中のドットクロックＣ３は、スイッチ回路４１の１つの入力端にも送られる。バッファメモリ１２から読み出されたデジタル映像信号ストリームＤ４中のドットクロックＣ４は、スイッチ回路４１の別の１つの入力端にも送られる。スイッチ回路４１の残りの１つの入力端には、ＣＰＵ７（図３）から、スイッチ回路１５を制御するための制御信号が送られる。スイッチ回路４１で選択された信号は、スイッチ回路１５に制御信号として与えられる。
【００４８】
スイッチ回路１３は、一方の出力端がスイッチ回路１５の一方の入力端に接続され、もう一方の出力端がミキシング回路１６に接続されている。スイッチ回路１４は、一方の出力端がスイッチ回路１５のもう一方の入力端に接続され、もう一方の出力端がミキシング回路１６に接続されている。
【００４９】
図５は、リモートコントローラでの表示モードの選択操作に基づいてＣＰＵ７が実行する処理を示すフローチャートである。この処理では、最初に、１画面表示モードが選択されたか否かを判断する（ステップＳ１）。
【００５０】
イエスであれば、入力端ＩＮ１，ＩＮ２（図３）のうち、入力端ＩＮ１から入力したアナログ映像信号Ｄ１を表示することが選択されたか否かを判断する（ステップＳ２）。
【００５１】
イエスであれば、スイッチ回路２３，２４（図３）を制御して、入力端ＩＮ１から入力したアナログ映像信号Ｄ１を選択させる（ステップＳ３）。また、スイッチ回路２５〜３０（図３）を制御して、同期分離・クロック生成回路４からの水平同期信号Ｈ，垂直同期信号Ｖ，ドットクロックＣを選択させる（ステップＳ４）。そして、スイッチ回路３２（図３）を制御して、インバータ３１からの反転ドットクロックを選択させる（ステップＳ５）。
【００５２】
これにより、表示対象の同じアナログ映像信号Ｄ１と、同期分離・クロック生成回路４によってこのアナログ映像信号Ｄ１から分離された水平同期信号Ｈ，垂直同期信号Ｖとが、Ａ／Ｄ変換部２，３の両方に供給される。
【００５３】
また、図６に示すように、同期分離・クロック生成回路４によってアナログ映像信号Ｄ１から生成されたドットクロックＣがＡ／Ｄ変換部２に供給されるとともに、インバータ３１によるこのドットクロックＣの反転出力（位相を２分の１ずらしたドットクロックＣ）がＡ／Ｄ変換部３に供給されるので、Ａ／Ｄ変換部２とＡ／Ｄ変換部３とでは、ドットクロックＣの周期Ｔの２分の１だけサンプリングタイミングがずれるようになる。
【００５４】
その結果、Ａ／Ｄ変換部２から出力されるデジタル映像信号ストリームＤ３と、Ａ／Ｄ変換部３から出力されるデジタル映像信号ストリームＤ４は、表示対象の同じ映像信号Ｄ１を、ドットクロックＣの２分の１周期だけずらしたタイミングでサンプリングしたものになる。
【００５５】
ステップＳ５に続き、合成回路２２内のスイッチ回路１３，１４を制御して、それらの出力端をスイッチ回路１５側に切り替える（ステップＳ６）。そして、スイッチ回路４１を制御して、バッファメモリ１１からのドットクロックＣ３を選択させる（ステップＳ７）。そして処理を終了する。
【００５６】
これにより、スイッチ回路１５の一方の入力端，もう一方の入力端には、それぞれデジタル映像信号ストリームＤ３，デジタル映像信号ストリームＤ４が入力する。また、デジタル映像信号ストリームＤ３中のドットクロックＣ３が、スイッチ回路４１を経てスイッチ回路１５に制御信号として与えられる。
【００５７】
したがって、スイッチ回路１５では、デジタル映像信号ストリームＤ３中のドットクロックＣ３（同期分離・クロック生成回路４によって表示対象のアナログ映像信号Ｄ１から生成され、Ａ／Ｄ変換部２でデジタル映像信号に付加されたドットクロックＣ）の２分の１周期（‘１’と‘０’との切り替わり）で、デジタル映像信号ストリームＤ３とデジタル映像信号ストリームＤ４とが交互に選択される。
【００５８】
その結果、スイッチ回路１５からは、デジタル映像信号ストリームＤ３とデジタル映像信号ストリームＤ４とを、ドットクロックＣの２分の１周期毎に入れ子状に合成したデジタル映像信号ストリーム（表示対象のアナログ映像信号Ｄ１を、Ａ／Ｄ変換部２，３の２倍のサンプリング周波数でサンプリングしたデジタル映像信号）が出力される。
【００５９】
ステップＳ２でノーであった場合（入力端ＩＮ２から入力したアナログ映像信号Ｄ２を表示することが選択された場合）には、スイッチ回路２３，２４を制御して、入力端ＩＮ２から入力したアナログ映像信号Ｄ２を選択させる（ステップＳ８）。また、スイッチ回路２５〜３０を制御して、同期分離・クロック生成回路５からの水平同期信号Ｈ，垂直同期信号Ｖ，ドットクロックＣを選択させる（ステップＳ９）。
【００６０】
そして、ステップＳ５，Ｓ６と同一内容のステップＳ１０，Ｓ１１を経た後、スイッチ回路４１を制御して、バッファメモリ１２からのドットクロックＣ４を選択させる（ステップＳ１２）。そして処理を終了する。
【００６１】
これにより、アナログ映像信号Ｄ１を表示することが選択された場合と同様にして、表示対象のアナログ映像信号Ｄ２をＡ／Ｄ変換部２，３の２倍のサンプリング周波数でサンプリングしたデジタル映像信号がスイッチ回路１５から出力される。
【００６２】
ステップＳ１でノーであった場合（２画面表示モードまたは重畳表示モードが選択された場合）には、スイッチ回路２３を制御して、入力端ＩＮ１から入力したアナログ映像信号Ｄ１を選択させるとともに、スイッチ回路２４を制御して、入力端ＩＮ２から入力したアナログ映像信号Ｄ２を選択させる（ステップＳ１３）。また、スイッチ回路２５〜２７を制御して、同期分離・クロック生成回路４からの水平同期信号Ｈ，垂直同期信号Ｖ，ドットクロックＣを選択させ、スイッチ回路２８〜３０を制御して、同期分離・クロック生成回路５からの水平同期信号Ｈ，垂直同期信号Ｖ，ドットクロックＣを選択させる（ステップＳ１４）。また、スイッチ回路３２を制御して、スイッチ回路３０からのドットクロックＣを選択させる（ステップＳ１５）。
【００６３】
これにより、Ａ／Ｄ変換部２は、入力端ＩＮ１から入力したアナログ映像信号Ｄ１と、同期分離・クロック生成回路４によってアナログ映像信号Ｄ１から分離・生成された水平同期信号Ｈ，垂直同期信号Ｖ，ドットクロックＣとが供給されて、アナログ映像信号Ｄ１をデジタル変換した映像信号に水平同期信号，垂直同期信号，ドットクロックを付加したデジタル映像信号ストリームＤ３を出力する。
【００６４】
またＡ／Ｄ変換部３は、入力端ＩＮ２から入力したアナログ映像信号Ｄ２と、同期分離・クロック生成回路５によってアナログ映像信号Ｄ２から分離・生成された水平同期信号Ｈ，垂直同期信号Ｖ，ドットクロックＣとが供給されて、アナログ映像信号Ｄ２をデジタル変換した映像信号に水平同期信号，垂直同期信号，ドットクロックを付加したデジタル映像信号ストリームＤ４を出力する。
【００６５】
ステップＳ１５に続き、２画面表示モードが選択されたか否かを判断する（ステップＳ１６）。イエスであれば、合成回路２２内のスイッチ回路１３，１４を制御して、それらの出力端をスイッチ回路１５側に切り替える（ステップＳ１７）。また、スイッチ回路４１の入力端に、２画面表示用の制御信号として、１水平周期毎に、最初の所定期間（例えば１水平周期の２分の１の期間）はスイッチ回路１３の出力を選択させ、残りの期間はスイッチ回路１４の出力を選択させる制御信号を送る（ステップＳ１８）。そして、スイッチ回路４１を制御して、ＣＰＵ７からの制御信号を選択させる（ステップＳ１９）。そして処理を終了する。
【００６６】
これにより、入力端ＩＮ１，ＩＮ２から入力した２系統のアナログ映像信号Ｄ１，Ｄ２を１つの表示デバイスに左右の別々の画面で表示させるデジタル映像信号ストリームが、スイッチ回路１５から出力される。
【００６７】
ステップＳ１６でノーであった場合（重畳表示モードが選択された場合）には、スイッチ回路１３，１４を制御してそれぞれ出力端をミキシング回路１６側に切り替える（ステップＳ２０）。そして処理を終了する。
【００６８】
これにより、ミキシング回路１６が、デジタル映像信号ストリームＤ３とデジタル映像信号ストリームＤ４とをミキシングして、入力端ＩＮ１，ＩＮ２から入力した２系統のアナログ映像信号Ｄ１，Ｄ２を１つの表示デバイスに重ね合せて表示させるデジタル映像信号ストリームを出力する。
【００６９】
このようにして、選択された表示モードに応じたデジタル映像信号ストリームが映像信号処理部２１で作成される。このデジタル映像信号ストリームは、図３に示すように、映像信号処理部２１の出力端ＯＵＴから出力され、コントラストや諧調の調整等を行う他の映像信号処理部５１を経て、表示デバイス（例えば液晶パネル等）に送られる。
【００７０】
このように、このテレビジョン受像機では、２系統のＡ／Ｄ変換部２，３を有する映像信号処理部２１での処理によって２画面表示や重畳表示を行うことができるとともに、１画面表示時には、映像信号処理部２１の２系統のＡ／Ｄ変換部２，３を有効に活用して、高精細な映像を得ることができる。
【００７１】
また、合成回路２２内で２画面表示の際に用いられるスイッチ回路１５が、１画面表示時にも兼用されるので、回路規模の増大を抑えつつ、１画面表示時に高精細な映像を得ることができる。
【００７２】
なお、以上の例では、２画面表示・重畳表示用の映像信号処理装置を搭載したテレビジョン受像機に本発明を適用している。しかし、これに限らず、本発明は、２系統以上の映像信号を１つの表示デバイスに表示するために２系統以上のＡ／Ｄ変換器を有するあらゆる映像信号処理装置や、そうした映像信号処理装置を搭載したあらゆる映像表示装置に適用してよい。
【００７３】
【発明の効果】
以上のように、本発明によれば、２系統以上の映像信号を１つの表示デバイスに表示するために２系統以上のＡ／Ｄ変換器を有する映像信号処理装置や、そうした映像信号処理装置を搭載したテレビジョン受像機等の映像表示装置において、１系統のアナログ映像信号のみが表示対象とされる１画面表示時に、これらのＡ／Ｄ変換器を有効に活用して高精細な映像を得ることができるという効果が得られる。
【００７４】
また、２系統以上のアナログ映像信号を１つの表示デバイスに別々の画面で表示させる際に用いられる切替手段を、１画面表示時にも兼用することにより、回路規模の増大を抑えつつ、１画面表示時に高精細な映像を得ることができるという効果が得られる。
【図面の簡単な説明】
【図１】従来のテレビジョン受像機の映像信号処理部の構成を示すブロック図である。
【図２】図１の合成回路の構成を示すブロック図である。
【図３】本発明を適用したテレビジョン受像機の映像信号処理部の構成を示すブロック図である。
【図４】図３の合成回路の構成を示すブロック図である。
【図５】図３のＣＰＵが実行する処理を示すフローチャートである。
【図６】１画面表示時の図３のＡ／Ｄ変換部のサンプリングタイミングを示す図である。
【符号の説明】
１，２１  映像信号処理部、  ２，３  Ａ／Ｄ変換部、  ４，５  同期分離・クロック生成回路、  ６，２２  合成回路、  ７  ＣＰＵ、  ８  ＲＯＭ、  ９ＲＡＭ、  １１，１２  バッファメモリ、  １３〜１５，２３〜３０，３２，４１  スイッチ回路、  ３１  インバータ
【図１】
2004364185.tif 000003
【図２】
2004364185.tif 000004
【図３】
2004364185.tif 000005
【図４】
2004364185.tif 000006
【図５】
2004364185.tif 000007
【図６】
2004364185.tif 000008